(57)【要約】  【課題】  複数種類の入出力インタフェースに対応可能なＡＶ機器であって、他機器と接続する際のユーザ設定作業を軽減可能な装置を実現する。  【解決手段】  複数種類の入出力インタフェース２ａ〜２ｄと、圧縮符号化された映像信号および音声信号を復号化するＡＶデコーダ２０と、復号化された映像信号および音声信号の少なくとも一方をフォーマット変換するフォーマット変換器２１と、前記入出力インタフェースに外部機器が接続された際に、外部機器が接続されたことを認証する接続機器認証部２３と、外部機器が対応可能な映像、音声フォーマットを判定するフォーマット判定部２６，２７と、フォーマット判定部２６，２７の判定結果に従って、フォーマット変換器２１に対して変換後フォーマットを指定する接続設定選択部２８とを備えた映像音声出力装置。【選択図】  図２
2005051547.tif 000002
【特許請求の範囲】
【請求項１】
複数種類の入出力インタフェースと、
圧縮符号化された映像信号および音声信号を復号化するデコーダと、
復号化された映像信号および音声信号の少なくとも一方をフォーマット変換するフォーマット変換部と、
前記入出力インタフェースに外部機器が接続された際に、外部機器が接続されたことを認証する接続機器認証部と、
映像信号および音声信号の少なくとも一方について、前記接続機器認証部で認証された外部機器が対応可能なフォーマットを判定するフォーマット判定部と、
前記フォーマット判定部の判定結果に従って、前記フォーマット変換部に対して変換後フォーマットを指定するフォーマット変換制御部とを備えた映像音声出力装置。
【請求項２】
前記フォーマット判定部の判定結果に基づいて選択可能なフォーマットをユーザに提示し、その選択結果の入力を受け付けるユーザ選択入力部をさらに備え、
前記フォーマット変換制御部が、前記ユーザ選択入力部に対してユーザが入力した選択結果に基づいて、前記フォーマット変換部に指定する変換後フォーマットを決定する、請求項１に記載の映像音声出力装置。
【請求項３】
前記ユーザ選択入力部に対してユーザが入力した選択結果が複数種類のフォーマットを含む場合、前記フォーマット変換制御部が、入力された映像信号または音声信号から変換可能なフォーマットのうち最も高品位なフォーマットを、前記変換後フォーマットとして決定する、請求項１または２に記載の映像音声出力装置。
【請求項４】
前記フォーマット変換部でフォーマット変換された映像信号および音声信号を、前記接続機器認証部で認証された外部機器に対する入出力インタフェースに応じた伝送フォーマットに変換して当該入出力インタフェースへ出力する伝送部をさらに備えた、請求項１〜３のいずれか一項に記載の映像音声出力装置。
【請求項５】
前記伝送部が、非圧縮状態の映像信号および音声信号を入力し、非圧縮の映像信号に圧縮した音声信号を重畳させることにより、伝送フォーマットに変換する、請求項４に記載の映像音声出力装置。
【請求項６】
前記複数種類の入出力インタフェースに、ＨＤＭＩ規格対応インタフェースとIEEE1394規格対応インタフェースとを少なくとも含む、請求項５に記載の映像音声出力装置。
【請求項７】
圧縮符号化された映像信号および音声信号を入力する第１のインタフェースと、非圧縮の映像信号に圧縮された音声信号が重畳された多重化信号を入力する第２のインタフェースとを少なくとも含む複数種類の入出力インタフェースと、
前記第１のインタフェースから入力された映像信号および音声信号を復号化する第１のデコーダと、
前記第２のインタフェースから入力された多重化信号を復号化する第２のデコーダと、
復号化された映像信号および音声信号を出力する映像音声出力部と、
前記複数種類の入出力インタフェースのいずれから入力があるかを検出し、第１のインタフェースから入力があった場合は第１のデコーダの出力を前記映像音声出力部へ送り、第２のインタフェースから入力があった場合は第２のデコーダの出力を前記映像音声出力部へ送る入力切替部とを備えた映像音声受信装置。
【請求項８】
前記第１のインタフェースがIEEE1394規格対応インタフェースであり、前記第２のインタフェースがＨＤＭＩ規格対応インタフェースである、請求項７に記載の映像音声受信装置。
【請求項９】
複数種類の入出力インタフェースのいずれかに外部機器が接続された際に、外部機器が接続されたことを認証する接続認証ステップと、
映像信号および音声信号の少なくとも一方について、前記ステップで認証された外部機器が対応可能なフォーマットを判定するフォーマット判定ステップと、
圧縮復号化された映像信号および音声信号を復号化する復号化ステップと、
前記フォーマット判定ステップの判定結果に従って、前記復号化ステップで復号化された映像信号および音声信号の少なくとも一方に対してフォーマット変換を行うフォーマット変換ステップと、
フォーマット変換した映像信号および音声信号を前記入出力インタフェースへ出力する出力ステップとを含む映像音声出力方法。
【請求項１０】
圧縮符号化された映像信号および音声信号を入力する第１のインタフェースと、非圧縮の映像信号に圧縮された音声信号が重畳された多重化信号を入力する第２のインタフェースとを少なくとも含む複数種類の入出力インタフェースのいずれから入力があるかを検出するステップと、
第１のインタフェースから入力があった場合は、前記第１のインタフェースから入力された映像信号および音声信号を復号化して出力し、第２のインタフェースから入力があった場合は前記第２のインタフェースから入力された多重化信号を復号化して出力するステップとを含む映像音声受信方法。
【請求項１１】
複数種類の入出力インタフェースのいずれかに外部機器が接続された際に、外部機器が接続されたことを認証する接続認証ステップと、
映像信号および音声信号の少なくとも一方について、前記ステップで認証された外部機器が対応可能なフォーマットを判定するフォーマット判定ステップと、
圧縮復号化された映像信号および音声信号を復号化する復号化ステップと、
前記フォーマット判定ステップの判定結果に従って、前記復号化ステップで復号化された映像信号および音声信号の少なくとも一方に対してフォーマット変換を行うフォーマット変換ステップと、
フォーマット変換した映像信号および音声信号を前記入出力インタフェースへ出力する出力ステップとをコンピュータに実行させる命令を含むコンピュータプログラム。
【請求項１２】
圧縮符号化された映像信号および音声信号を入力する第１のインタフェースと、非圧縮の映像信号に圧縮された音声信号が重畳された多重化信号を入力する第２のインタフェースとを少なくとも含む複数種類の入出力インタフェースのいずれから入力があるかを検出するステップと、
第１のインタフェースから入力があった場合は、前記第１のインタフェースから入力された映像信号および音声信号を復号化して出力し、第２のインタフェースから入力があった場合は前記第２のインタフェースから入力された多重化信号を復号化して出力するステップとをコンピュータに実行させる命令を含むコンピュータプログラム。
【発明の詳細な説明】
【技術分野】
【０００１】
本発明は、ＨＤＭＩ（High Definition Multimedia Interface）等の規格に基づいて高品位映像と音声を伝送するための映像音声出力装置、その映像と音声を受信する映像音声受信装置等に関する。
【背景技術】
【０００２】
従来より、映像データをデジタルデータとして伝送する規格とし、ＤＶＩ（Digital Visual Interface）規格があった。これは、原色信号ＲＧＢの画素データをピクセル単位でデジタル化し、映像を非圧縮のままのベースバンドでデジタル伝送するものである。
【０００３】
一方、近年、デジタル衛星チューナ、ビデオレコーダなどの映像・音声信号源と、モニタ受像機／ＡＶアンプなどの映像表示装置／音声再生装置とを１本のケーブルで接続し、信号源のデジタルデータを映像表示装置／音声再生装置に伝送させるＨＤＭＩ（High Definition Multimedia Interface）規格なるものが規格化されている。この技術によれば、音声データは、映像信号のブランキング期間に圧縮多重化および重畳されて映像信号と同時に伝送されるため、従来のように音声出力端子を映像出力端子とは別にモニタ受像機、あるいはＡＶアンプに接続する必要がなく、今後広く普及するものと思われる。（例えば、特許文献１参照）。
【特許文献１】特開２００２−２３２３７７号公報（第２−３頁、図１）
【発明の開示】
【発明が解決しようとする課題】
【０００４】
ところで、従来、映像・音声の伝送技術として、IEEE（The Institute of Electrical and Electronics Engineers）1394規格によるＭＰＥＧ圧縮データを用いた映像・音声伝送方式、Ｄ映像端子（Ｄ端子とも呼ばれる）を用いたＹ（輝度信号）／Ｐｂ（青色色差信号）／Ｐｒ（赤色色差信号）のコンポーネント映像伝送方式、IEC（International Electrotechnical Commission）60958規格、IEC61937規格によるデジタルオーディオフォーマットでの光デジタル音声伝送方式等があり、これらの伝送方式のいずれも広く普及している。
【０００５】
従って、ＨＤＭＩ規格が普及し始める黎明期には、これらの伝送規格が混在することが予想される。このため、ＨＤＭＩ端子を搭載するＡＶ機器は、ＨＤＭＩ規格非対応の接続機器とも接続が可能となるように、当面上記の従来の規格と互換性がとれたＡＶ入出力端子を具備していることが望ましい。
【０００６】
しかし、このように複数種類の入出力インタフェースに対応可能なＡＶ機器同士を接続した際に、各機器のデコード能力等を考慮して、出力側の機器の出力フォーマットと入力側の機器の入力フォーマットとを適切に設定することが必要となるが、この設定作業がユーザにとっては非常に煩わしいという問題がある。
【０００７】
従って、本発明は、複数種類の入出力インタフェースに対応可能なＡＶ機器であって、他機器と接続する際のユーザによる設定作業を軽減することが可能な装置を実現することを目的とする。
【課題を解決するための手段】
【０００８】
上記課題を解決するために、本発明に係る映像音声出力装置は、複数種類の入出力インタフェースと、圧縮符号化された映像信号および音声信号を復号化するデコーダと、復号化された映像信号および音声信号の少なくとも一方をフォーマット変換するフォーマット変換部と、前記入出力インタフェースに外部機器が接続された際に、外部機器が接続されたことを認証する接続機器認証部と、映像信号および音声信号の少なくとも一方について、前記接続機器認証部で認証された外部機器が対応可能なフォーマットを判定するフォーマット判定部と、前記フォーマット判定部の判定結果に従って、前記フォーマット変換部に対して変換後フォーマットを指定するフォーマット変換制御部とを備えたことを特徴とする。
【０００９】
また、本発明に係る映像音声受信装置は、圧縮符号化された映像信号および音声信号を入力する第１のインタフェースと、非圧縮の映像信号に圧縮された音声信号が重畳された多重化信号を入力する第２のインタフェースとを少なくとも含む複数種類の入出力インタフェースと、前記第１のインタフェースから入力された映像信号および音声信号を復号化する第１のデコーダと、前記第２のインタフェースから入力された多重化信号を復号化する第２のデコーダと、復号化された映像信号および音声信号を出力する映像音声出力部と、前記複数種類の入出力インタフェースのいずれから入力があるかを検出し、第１のインタフェースから入力があった場合は第１のデコーダの出力を前記映像音声出力部へ送り、第２のインタフェースから入力があった場合は第２のデコーダの出力を前記映像音声出力部へ送る入力切替部とを備えたことを特徴とする。
【００１０】
また、本発明に係る映像音声出力方法は、複数種類の入出力インタフェースのいずれかに外部機器が接続された際に、外部機器が接続されたことを認証する接続認証ステップと、映像信号および音声信号の少なくとも一方について、前記ステップで認証された外部機器が対応可能なフォーマットを判定するフォーマット判定ステップと、圧縮復号化された映像信号および音声信号を復号化する復号化ステップと、前記フォーマット判定ステップの判定結果に従って、前記復号化ステップで復号化された映像信号および音声信号の少なくとも一方に対してフォーマット変換を行うフォーマット変換ステップと、フォーマット変換した映像信号および音声信号を前記入出力インタフェースへ出力する出力ステップとを含むことを特徴とする。
【００１１】
また、本発明に係る映像音声受信方法は、圧縮符号化された映像信号および音声信号を入力する第１のインタフェースと、非圧縮の映像信号に圧縮された音声信号が重畳された多重化信号を入力する第２のインタフェースとを少なくとも含む複数種類の入出力インタフェースのいずれから入力があるかを検出するステップと、第１のインタフェースから入力があった場合は、前記第１のインタフェースから入力された映像信号および音声信号を復号化して映像音声出力し、第２のインタフェースから入力があった場合は、前記第２のインタフェースから入力された多重化信号を復号化して出力するステップとを含むことを特徴とする。
【００１２】
さらに、本発明に係るコンピュータプログラムは、複数種類の入出力インタフェースのいずれかに外部機器が接続された際に、外部機器が接続されたことを認証する接続認証ステップと、映像信号および音声信号の少なくとも一方について、前記ステップで認証された外部機器が対応可能なフォーマットを判定するフォーマット判定ステップと、圧縮復号化された映像信号および音声信号を復号化する復号化ステップと、前記フォーマット判定ステップの判定結果に従って、前記復号化ステップで復号化された映像信号および音声信号の少なくとも一方に対してフォーマット変換を行うフォーマット変換ステップと、フォーマット変換した映像信号および音声信号を前記入出力インタフェースへ出力する出力ステップとをコンピュータに実行させる命令を含むことを特徴とする。
【００１３】
さらに、本発明に係るコンピュータプログラムは、圧縮符号化された映像信号および音声信号を入力する第１のインタフェースと、非圧縮の映像信号に圧縮された音声信号が重畳された多重化信号を入力する第２のインタフェースとを少なくとも含む複数種類の入出力インタフェースのいずれから入力があるかを検出するステップと、第１のインタフェースから入力があった場合は、前記第１のインタフェースから入力された映像信号および音声信号を復号化して出力し、第２のインタフェースから入力があった場合は前記第２のインタフェースから入力された多重化信号を復号化して出力するステップとをコンピュータに実行させる命令を含むことを特徴とする。
【発明の効果】
【００１４】
本発明によれば、複数種類の入出力インタフェースに対応可能なＡＶ機器であって、他機器と接続する際のユーザ設定作業を軽減可能な装置を実現することができる。
【発明を実施するための最良の形態】
【００１５】
上記構成の映像音声出力装置によれば、複数種類の入出力インタフェースのいずれかに外部機器が接続された場合、外部機器が接続されたことを認証し、その機器が対応可能なフォーマットを判定することにより、出力すべき映像音声信号のフォーマットが決定される。これにより、接続機器の信号処理能力に応じた映像、音声出力が可能で、かつ、ユーザがフォーマット設定を行う手間が軽減された映像音声出力装置を提供できる。
【００１６】
また、上記映像音声出力装置は、前記フォーマット判定部の判定結果に基づいて選択可能なフォーマットをユーザに提示し、その選択結果の入力を受け付けるユーザ選択入力部をさらに備え、前記フォーマット変換制御部が、前記ユーザ選択入力部に対してユーザが入力した選択結果に基づいて、前記フォーマット変換部に指定する変換後フォーマットを決定する構成とすることが好ましい。この構成によれば、ユーザが希望する場合はユーザ指定に従って変換後フォーマットを決定することが可能となる。
【００１７】
また、上記映像音声出力装置は、前記ユーザ選択入力部に対してユーザが入力した選択結果が複数種類のフォーマットを含む場合、前記フォーマット変換制御部が、入力された映像信号または音声信号から変換可能なフォーマットのうち最も高品位なフォーマットを、前記変換後フォーマットとして決定することが好ましい。この構成によれば、ユーザが希望する場合はユーザ指定に従いつつ、最も高品位な映像、音声を提供することが可能となる。なお、「高品位」とは、例えば映像信号の場合であれば、画素数（走査線数）が多い方がより高品位であり、走査線数が同じであればインタレース走査よりもプログレッシブ走査の方がより高品位であると言える。
【００１８】
また、上記映像音声出力装置は、前記フォーマット変換部でフォーマット変換された映像信号および音声信号を、前記接続機器認証部で認証された外部機器に対する入出力インタフェースに応じた伝送フォーマットに変換して当該入出力インタフェースへ出力する伝送部をさらに備えた構成とすることが好ましい。
【００１９】
また、上記映像音声出力装置は、前記伝送部が、非圧縮状態の映像信号および音声信号を入力し、非圧縮の映像信号に圧縮した音声信号を重畳させることにより、伝送フォーマットに変換することが好ましい。さらに、前記複数種類の入出力インタフェースに、ＨＤＭＩ規格対応インタフェースとIEEE1394規格対応インタフェースとを少なくとも含むことが好ましい。
【００２０】
以下、本発明の具体的な実施形態を、図１から図７を用いて説明する。
【００２１】
この実施形態では、映像音声出力装置の具体例としてＤＶＤレコーダ、映像音声受信装置の具体例としてデジタルハイビジョンテレビ放送対応のモニタ受像機をそれぞれ示すが、本発明の映像音声出力装置および映像音声受信装置はこれらの具体例に限定されない。
【００２２】
図１は、本実施形態にかかる映像音声出力装置（ＤＶＤレコーダ２）および映像音声受信装置（モニタ受像機１）を含んだＡＶシステムの構成および各装置間の接続形態を示したものである。
【００２３】
図１に示すように、本実施形態のＤＶＤレコーダ２は、IEEE1394ケーブル１０ａ、Ｄ端子映像ケーブル１０ｂ、アナログ音声ケーブル１０ｃ、ＨＤＭＩケーブル１０ｄにより、モニタ受像機１に接続することが可能である。なお、図１に示すケーブル１０ａ〜１０ｄは、これらの全てが常時図示のとおりに各装置間を接続しているとは限らず、ユーザが有する各装置のインタフェース規格やユーザの目的に応じて、少なくともいずれか１本が接続されるものである。なお、モニタ受像機１には、左右一対のスピーカ５，６が接続されている。
【００２４】
また、ＤＶＤレコーダ２は、アナログ音声ケーブル１０ｃまたはＨＤＭＩケーブル１０ｄにより、ＡＶアンプ３に接続することが可能である。なお、ＡＶアンプ３には、左右一対のスピーカ７，８が接続されている。
【００２５】
ここで、ＤＶＤレコーダ２の概略構成について、図２を用いて説明する。
【００２６】
図２に示すように、ＤＶＤレコーダ２は、IEEE1394ケーブル１０ａを接続するためのIEEE1394端子２ａ、Ｄ端子映像ケーブル１０ｂを接続するためのＤ端子２ｂ、左右音声用一対のアナログ音声ケーブル１０ｃを接続するための左右一対のアナログ端子２ｃ、ＨＤＭＩケーブル１０ｄを接続するためのＨＤＭＩ端子２ｄを備えている。なお、図２では、ＨＤＭＩ端子２ｄを、説明の都合上、入力端子として機能する場合を左側に、出力端子として機能する場合を右側に分けて示した（すなわち図２において符号２ｄを付した端子が二つ存在する）が、実際の装置においては物理的に一つの端子として構成される。ただし、ＨＤＭＩ端子やIEEE1394端子の数は１つに限定されず、複数個ずつあっても良い。
【００２７】
ＤＶＤレコーダ２は、さらに、ＡＶデコーダ２０、フォーマット変換器２１、トランスミッタ２２、接続機器認証部２３、ＤＶＤドライブ２４、接続機器判定部２５、映像フォーマット判定部２６、音声フォーマット判定部２７、接続設定選択部２８、ＧＵＩ画面表示部２９を備えている。
【００２８】
ＤＶＤドライブ２４は、光ピックアップ等（図示せず）によりＤＶＤに対して情報の記録／再生を行う。このＤＶＤドライブ２４により、ＭＰＥＧ圧縮符号化された映像音声信号がＤＶＤから読み出され、ＡＶデコーダ２０へ送られる。ＡＶデコーダ２０は、ＤＶＤドライブ２４から受け取った映像音声信号を復号化し、映像信号と音声信号に分離出力する。フォーマット変換器２１は、ＡＶデコーダ２０から出力される映像信号および音声信号を、接続設定選択部２８からの指示に応じたフォーマットに変換する。トランスミッタ２２は、音声信号を圧縮符号化して映像信号に重畳し、ＨＤＭＩフォーマットの伝送形式に変換する。
【００２９】
接続機器認証部２３は、ＨＤＭＩ端子２ｄに接続された機器を認証する認証部２３ｄと、IEEE1394端子２ａに接続された機器を認証する認証部２３ａとを内部に有し、ＨＤＭＩ端子２ｄまたはIEEE1394端子２ａに接続されている機器を検出するとともにそれぞれの伝送プロトコルにより規定された認証手段、例えばHDCP（High-bandwidth Digital Content Protection）認証やDTCP(Ditgital Transmission Content Protection)認証によって接続先と認証を行い、接続先に出力信号を伝送してよいかどうかを判定する。
【００３０】
接続機器判定部２５は、接続機器認証部２３の検出結果に基づき、接続機器の入出力インタフェースを判定する。映像フォーマット判定部２６は、接続機器が対応可能な映像フォーマットを判定する。音声フォーマット判定部２７は、接続機器が対応可能な音声フォーマットを判定する。接続設定選択部２８は、接続機器の対応可能な映像／音声フォーマットの種類や、ユーザの希望に応じて、映像／音声フォーマットを決定し、フォーマット変換器２１へ指示する。ＧＵＩ画面表示部２９は、ユーザの操作入力をＧＵＩにより受け付ける。
【００３１】
図３は、モニタ受像機１の内部概略構成を示したものである。図３に示すように、モニタ受像機１は、IEEE1394ケーブル１０ａを接続するためのIEEE1394端子１ａ、Ｄ端子映像ケーブル１０ｂを接続するためのＤ端子１ｂ、アナログ音声ケーブル１０ｃを接続するための左右一対のアナログ端子１ｃ、ＨＤＭＩケーブル１０ｄを接続するためのＨＤＭＩ端子１ｄを備えている。
【００３２】
モニタ受像機１は、さらに、レシーバ１１、入力切替部１２、映像音声出力部１３、ＣＲＴ（cathode ray tube）１４、切替制御部１５、ＲＯＭ（read only memory）１６、接続機器認証部１７、ＡＶデコーダ１８を備えている。なお、モニタ受像機１のモニタはＣＲＴには限定されず、液晶ディスプレイやプラズマディスプレイあるいは有機ＥＬディスプレイ等であっても良い。
【００３３】
ＡＶデコーダ１８は、IEEE1394端子１ａから入力された映像音声および音声信号を復号化する。レシーバ１１は、ＨＤＭＩ端子１１ｄから入力された映像音声データから、音声信号および映像信号を分離し、復号化する。入力切替部１２は、内部スイッチの切り替えにより、Ｄ端子１ｂ、ＡＶデコーダ２、およびレシーバ１１から入力される信号のいずれかを、映像音声出力部１３へ出力する。映像音声出力部１３は、入力切替部１２から送られた映像信号および音声信号のうち、映像信号に対してＣＲＴ１４に表示するための処理を施すと共に、音声信号をスピーカ５，６へ出力する。切替制御部１５は、接続機器認証部１７からの情報に基づいて、入力切替部１２のスイッチ制御を行う。ＲＯＭ１６には、このモニタ受像機１の映像／音声デコード能力情報が格納されている。なお、このデコード能力情報とは、モニタ受像機１が対応可能な映像／音声フォーマットに関する情報であり、このモニタ受像機１にＨＤＭＩインタフェース対応の接続機器が接続されたときにＲＯＭ１６から読み出され、ＨＤＭＩ端子１ｄを介してその接続機器へ供給される。接続機器認証部１７は、IEEE1394端子１ａに機器が接続されたか否かを認証する。
【００３４】
以下、モニタ受像機１が接続された場合のＤＶＤレコーダ２の動作について、図４のフローチャートを参照しながら説明する。なお、ＤＶＤレコーダ２のＨＤＭＩ端子２ｄおよびIEEE1394端子２ａは、ＤＶＤレコーダ２の動作中でもケーブルを抜き差しすることが可能な、いわゆるホットプラグ（HotPlug）対応の端子である。
【００３５】
ＨＤＭＩ端子２ｄまたはIEEE1394端子２ａにＨＤＭＩケーブル１０ｄまたはIEEE1394ケーブル１０ａが接続されると、バスリセットが発生する（ステップＳ１）。接続機器認証部２３は、これをトリガとして、ホットプラグ検出処理を実行する（ステップＳ２）。このとき、例えば、ＨＤＭＩ接続端子２ｄにＨＤＭＩケーブル１０ｄが接続されている場合、認証部２３ｄがこれを検出し、機器認証動作を行う。また、例えば、ＨＤＭＩケーブル１０ｄとIEEE1394ケーブル１０ａの両方が接続された場合は、さらにバスリセットが発生し、ホットプラグ検出処理および機器認証が合計２回行われる。
【００３６】
次に、接続機器判定部２５が、ステップＳ２における検出要因がＨＤＭＩインタフェースかIEEE1394インタフェースかを判別する（ステップＳ３）。
【００３７】
ステップＳ３の判別結果がＨＤＭＩである場合には、映像フォーマット判定部２６が、接続先のモニタ受像機１がデコード可能な映像フォーマット情報を取得する（ステップＳ４）。また、音声フォーマット判定部２７が、接続先のモニタ受像機１の音声デコードフォーマット情報を取得する（ステップＳ５）。なお、ステップＳ４，Ｓ５のフォーマット情報は、前述したとおり、モニタ受像機１のＲＯＭ１６からＨＤＭＩケーブル１０ｄを介してＤＶＤレコーダ２へ供給されるデコード能力情報から取得される。
【００３８】
ＡＶアンプ３が接続されていない場合には、ステップＳ６により分岐し、次のステップＳ７での映像フォーマットチェック、ステップＳ８での音声フォーマットチェックが、映像フォーマット判定部２６、音声フォーマット判定部２７にてそれぞれ行われる。
【００３９】
一方、モニタ受像機１に加えてＡＶアンプ３も接続されている場合は、ＡＶアンプ３とモニタ受像機１の映像、音声情報が統合された形でＤＶＤレコーダ２から見えることとなる。したがって前述のＲＯＭ１６からは、ＡＶアンプとモニタ受像機の映像、音声情報が読み出される。ステップＳ４、ステップＳ５で得られた情報のうち、ＡＶアンプ３に関する情報の項目については、ステップＳ６からステップＳ８に分岐し、ステップＳ７の映像フォーマットチェックは実行されない。モニタ受像機１に関する情報の項目については、ステップＳ６からステップＳ７に分岐する。接続設定選択部２８は、映像フォーマット判別部２６および音声フォーマット判別部２７により取得されたデコード能力情報と、ＤＶＤレコーダ２から出力可能なフォーマットとを照合する（ステップＳ７，Ｓ８）。ＤＶＤレコーダ２から出力可能なフォーマットのリストは、例えば、接続設定選択部２８内の出力フォーマット情報記憶部２８ａ（図２参照）に記憶されている。
【００４０】
さらに、接続設定選択部２８は、ステップＳ７，Ｓ８で照合した結果をもとに、ＤＶＤレコーダ２から出力可能なフォーマットであって、かつ、モニタ受像機１でデコード出力可能なフォーマットを、ＧＵＩ画面表示部２９のユーザ選択画面に提示する（ステップＳ９）。
【００４１】
図６は、ＤＶＤレコーダ２から出力可能なフォーマットが４８０ｐ、７２０ｐ、および１０８０ｉであり、モニタ受像機１でデコード出力可能な映像フォーマットが１０８０ｉまたは４８０ｐのみである場合の表示例である。なお、「１０８０ｉ」、「４８０ｐ」等の表記は、数字が走査線の本数を表し、「ｉ」はインタレース走査、「ｐ」はプログレッシブ走査であることを表す。
【００４２】
図６の例では、ＤＶＤレコーダ２から出力可能なフォーマットのうち、モニタ受像機１でデコード出力可能なフォーマットが強調表示（図６では網掛けで表した）されている。そして、ユーザは、強調表示されたものからいずれかを選択可能である（ステップＳ１０）。ユーザが選択した結果は、接続設定選択部２８からフォーマット変換器２１へ送られる（ステップＳ１１）。
【００４３】
すなわち、図６に示した例では、７２０ｐの映像は選択不能であり、「Ａｕｔｏ」か、「１０８０ｉ」または「４８０ｐ」から選択可能である。モニタ受像機１でデコード可能な音声フォーマットがＡＡＣまたはＬＰＣＭであり、ＡＣ３は選択不能である。なお、本実施形態では、ユーザが「Ａｕｔｏ」を選択すると、入力された映像信号は、そのフォーマットに応じて、選択可能なフォーマットのうちのいずれかに変換（適応変換）される。一方、ユーザが「Ａｕｔｏ」以外の特定のフォーマットを選択した場合は、入力された映像信号は、入力フォーマットに関わらず、ユーザが選択したフォーマットに変換（固定変換）される。
【００４４】
例えば図６の例で、ユーザが「Ａｕｔｏ」を選択し、入力映像のフォーマットが７２０ｐであった場合は、フォーマット変換器２１は、７２０ｐの入力映像を１０８０ｉにフォーマット変換して出力する。７２０ｐの映像は、１０８０ｉおよび４８０ｐの両方に変換が可能であるが、１０８０ｉの方が高品位であるからである。また、４８０ｐまたは１０８０ｉの映像が入力された場合は、フォーマット変換器２１は、フォーマット変換せずにそのまま出力する。
【００４５】
一方、ユーザが、ユーザ選択画面で例えば「１０８０ｉ」を選択した場合には、接続設定選択部２８からフォーマット変換器２１へ、「１０８０ｉ固定」の指令が出力される。この場合、フォーマット変換器２１は、入力映像フォーマットがいかなるフォーマットであっても、１０８０ｉ映像フォーマットに変換して出力する。「４８０ｐ」を選択した場合には、接続設定選択部２８からフォーマット変換器２１に「４８０ｐ固定」の指令が出力される。フォーマット変換器２１は、入力映像フォーマットがいかなるフォーマットであっても、４８０ｐ映像フォーマットに変換して出力する。
【００４６】
なお、本実施形態では、ユーザ選択画面において、ユーザが入力インタフェースを選択することもできる。この場合、ステップＳ１０から、図５のフローチャートに示す処理へブランチする。例えば、ユーザが、ユーザ選択画面上で「Ｄ端子」入力を選択したものとすると、図７に示すように、Ａｕｔｏ／Ｄ２／Ｄ３／Ｄ４の映像出力設定メニューが表示される（ステップＳ２０）。ユーザは、この設定メニュー内でさらに選択が可能である（ステップＳ２１）。ここで、ユーザが「Ｄ４」を選択した場合には、Ｄ端子の種類が「Ｄ４」に確定され（ステップＳ２２）、接続設定選択部２８からフォーマット変換器２１に、「Ｄ４」すなわち４８０ｉ／４８０ｐ／１０８０ｉの映像フォーマット指令が出力される（ステップＳ２３）。この場合にもやはり、７２０ｐの映像は、１０８０ｉの映像にフォーマット変換され、フォーマット変換器２１から出力される。
【００４７】
なお、フォーマット変換器２１から出力された映像信号および音声信号は、ユーザがＨＤＭＩインタフェースを選択した場合は、トランスミッタ２２に入力される。トランスミッタ２２では、コンポーネント映像信号（Ｙ／Ｐｂ／Ｐｒ）を時分割処理し、その映像信号のブランキング期間に、圧縮した音声信号を多重化して、ＨＤＭＩ端子１ｄよりモニタ受像機１に出力する。
【００４８】
一方、上述のようにユーザがＤ端子インタフェースを選択した場合は、フォーマット変換器２１から出力された映像信号および音声信号は、トランスミッタ２２を介さずにＤ端子１ｂへ出力される。
【００４９】
また、ユーザがIEEE1394インタフェースを選択した場合は、強制的にIEEE1394モードとなるため、HDMI端子１ｄからは信号が出力されない。この場合には、DVDドライブ２４から再生された信号は、ＡＶデコーダに入力されるが、MPEG圧縮データから映像、音声デコードを行うことはなく、MPEGトランスポートストリームがIEEE1394インタフェースの伝送プロトコルに従ってフォーマッティングされ、IEEE1394端子２ａより出力される。
【００５０】
なお、図４のフローチャートにおいて、ステップＳ３の判別結果がＨＤＭＩ以外であった場合は、IEEE1394端子２aから機器接続情報を取得する（ステップＳ１２）。
【００５１】
ステップＳ２の終了段階ですでに機器認証が終わっているため、ＤＶＤレコーダ２は、モニタ受像機１との間で自由に情報のやりとりができる状態にある。ＤＶＤレコーダ２は、モニタ受像機１に対して機器情報取得コマンドを発行する。モニタ受像機１は、自機が映像信号を受信するモニタであることをＤＶＤレコーダ２に通知する。
【００５２】
以上のように、適応的なフォーマット変換処理とユーザ選択処理を組み合わせることによりIEEE1394端子とＨＤＭＩ接続端子の両方に対応したＤＶＤレコーダを提供することが可能である。
【００５３】
次に、モニタ受像機１側の処理について説明する。
【００５４】
ＨＤＭＩ端子１ｄにＤＶＤレコーダ２が接続されると、レシーバ１１に映像音声データが入力される。レシーバ１１は、多重化された映像音声データから、映像データと音声データを分離した後、復号化を行う。さらに、レシーバ１１は、ＨＤＭＩ映像音声が入力されたことを切替制御部１５に通知する。切替制御部１５は、入力切替部１２のスイッチをＨＤＭＩ側に切り替える。これにより、レシーバ１１の出力が映像音声出力部１３に供給されることとなる。
【００５５】
映像音声出力部１３は、映像データに対して、ＤＡ変換やＲＧＢ増幅等の映像出力処理を施し、ＣＲＴ１４に描画する。また、映像音声出力部１３は、音声データをＤＡ変換し、スピーカ５，６に出力する。
【００５６】
一方、IEEE1394端子１ａにＤＶＤレコーダ２が接続された場合は、接続機器認証部１７により、接続機器（ＤＶＤレコーダ２）を認証する。接続機器認証部１７の通知を受けて、切替制御部１５は、入力切替部１２のスイッチをIEEE1394端子１ａ側に切り替える。すなわち、ＭＰＥＧ圧縮された映像音声データが、ＡＶデコーダ１８で映像データと音声データに分離、復号化された後、映像音声出力部１３に供給される。
また、ＨＤＭＩ端子１ｄおよびIEEE1394端子１ａに映像データも音声データも供給されていない場合には、切替制御部１５には制御指令は入力されない。このときには、Ｄ端子１ｂの入力が有効となり、Ｄ端子１ｂに入力された映像信号およびアナログ音声端子１ｃに入力された音声信号が選択される。
【００５７】
以上のように、複数種類の入出力インタフェースを有するモニタ受像機において、外部機器からの伝送フォーマットが異なる場合でも、その伝送フォーマットを自動的に判定して適切にモニタすることが可能となる。また、外部機器からの伝送フォーマットに応じて必要なデコーダ（レシーバ）のみを動作させることにより、モニタ受像機における待機電力を低減することができる。
【００５８】
なお、図４のフローチャートに示したような処理をコンピュータに実行させるための命令を含んだプログラムとして本発明を実施することも可能である。この場合、このプログラムをＤＶＤレコーダやモニタ受像機のメモリに読み込んでマイコンに実行させれば、本発明の目的を達成することができる。
【００５９】
なお、上記の実施形態では、映像音声出力装置としてＤＶＤレコーダ、映像音声受信装置としてモニタ受像機を例示したが、本発明はこれらの具体例にのみ限定されず、任意のＡＶ機器に適用可能である。
さらに、上記の実施形態では、映像音声出力装置（例えばＤＶＤレコーダ）で再生したＡＶデータをモニタ受像機へ送る構成を例示したが、例えばIEEE1394ケーブルやHDMIケーブルを用いた場合、複数のＡＶ機器をツリー接続またはデージーチェーン接続することも可能であるため、映像音声出力装置が映像音声受信装置へ出力するＡＶデータは、他の映像音声出力装置から伝送されたＡＶデータであっても構わない。
【産業上の利用可能性】
【００６０】
以上のように本発明は、複数種類の入出力インタフェースに対応可能なＡＶ機器であって、他機器と接続する際のユーザ設定作業を軽減可能な装置として有用である。
【図面の簡単な説明】
【００６１】
【図１】本発明の一実施形態にかかる映像音声出力装置および映像音声受信装置の接続形態を示すブロック図である。
【図２】本発明の一実施形態にかかる映像音声出力装置の内部概略構成を示すブロック図である。
【図３】本発明の一実施形態にかかる映像音声受信装置の内部概略構成を示すブロック図である。
【図４】本発明の一実施形態にかかる映像音声出力装置の動作を示すフローチャートである。
【図５】本発明の一実施形態にかかる映像音声出力装置の動作を示すフローチャートである。
【図６】本発明の一実施形態にかかる映像音声出力装置のＧＵＩ画面の表示例を示す説明図である。
【図７】本発明の一実施形態にかかる映像音声出力装置のＧＵＩ画面の表示例を示す説明図である。
【符号の説明】
【００６２】
１      モニタ受像機
２      DVDレコーダ
３      ＡＶアンプ
５〜８  スピーカ
１０ａ  IEEE1394ケーブル
１０ｂ  Ｄ端子映像ケーブル
１０ｃ  アナログ音声ケーブル
１０ｄ  ＨＤＭＩケーブル
１１    レシーバ
１２    入力切替部
１３    映像音声出力部
１４    ＣＲＴ
１５    切替制御部
１６    ＲＯＭ
１７    接続機器認証部
１８    ＡＶデコーダ
２０    ＡＶデコーダ
２１    フォーマット変換器
２２    トランスミッタ
２３    接続機器認証部
２４    ＤＶＤドライブ
２５    接続機器判定部
２６    映像フォーマット判定部
２７    音声フォーマット判定部
２８    接続設定選択部
２９    ＧＵＩ画面表示部
【図１】
2005051547.tif 000003
【図２】
2005051547.tif 000004
【図３】
2005051547.tif 000005
【図４】
2005051547.tif 000006
【図５】
2005051547.tif 000007
【図６】
2005051547.tif 000008
【図７】
2005051547.tif 000009